(57)【要約】【課題】容易にかつ安全で確実に天井パネルと取り付けることができる天井パネルの取付構造を提供する。【解決手段】  建物における既存の天井１０の下側に、天井パネル１を複数枚取り付ける天井パネル１の取付構造であって、前記建物の壁に沿って前記天井の近傍に、前記壁側に配設された天井パネルを保持するベースフレーム４を設け、前記壁のうち対向する一対の壁間に設けられた前記ベースフレームの間に天井パネル保持部材５を固定し、前記天井パネル保持部材に、前記一対の壁間方向に移動自在に複数の保持具６を取り付け、前記一対の壁間方向に隣接して並設され実結合により連結される両天井パネル間に前記保持具を介在させ、かつ、隣接する天井パネルのうちの一方端側の実部２０を上記保持具で係止するようにしたことを特徴とする。【選択図】図１
2014020035.tif 000002
【特許請求の範囲】
【請求項１】
建物における既存の天井の下側に、天井パネルを複数枚取り付ける天井パネルの取付構造であって、
前記建物の壁に沿って前記天井の近傍に、前記壁側に配設された天井パネルを保持するベースフレームを設け、前記壁のうち対向する一対の壁間に設けられた前記ベースフレーム間に天井パネル保持部材を固定し、前記天井パネル保持部材に、前記一対の壁間方向に移動自在に複数の保持具を取り付け、
前記一対の壁間方向に隣接して並設され実結合により連結される両天井パネル間に前記保持具を介在させ、かつ、隣接する天井パネルのうちの一方端側の実部を上記保持具で係止するようにしたことを特徴とする天井パネルの取付構造。
【請求項２】
請求項１において、
前記保持具には、該保持具によって係止された天井パネルに対して、実結合により連結される天井パネルの配設方向とは、直交方向に配設される他の天井パネルを係止する係止片が形成されていることを特徴とする天井パネルの取付構造。
【請求項３】
請求項１または請求項２において、
前記天井パネル保持部材には、その長手方向に沿って形成され断面視において略Ｔ字状の引掛溝が設けられており、
前記保持具は、前記引掛溝に係止され、かつ該引掛溝に沿って移動自在に設けられていることを特徴とした天井パネルの取付構造。
【請求項４】
請求項１〜請求項３のいずか１項において、
前記保持具には、前記実部を抱え込むようにして係止する包持部と、該包持部で前記実部が係止された前記天井パネルを前記天井パネル保持部材に固定する固定具が挿通される挿通孔とが形成されていることを特徴とする天井パネルの取付構造。
【請求項５】
請求項１〜請求項４のいずれか１項において、
前記表層材は、前記雄実部側では該雄実部の先端から内側、前記雌実部側では該雌実部の先端から外側にずらした位置に設けられ、
前記保持具で前記雄実部を係止し、該雄実部の下方に、該雄実部を有する天井パネルに対して実結合により連結される天井パネルの前記表層材が配設されることを特徴とする天井パネルの取付構造。
【発明の詳細な説明】
【技術分野】
【０００１】
本発明は、建物における既存の天井の下側に、天井パネルを複数枚取り付ける天井パネルの取付構造に関する。
【背景技術】
【０００２】
従来より、既存の天井や壁面を残したまま、新たに天井パネルを取り付け、リフォームを行う施工方法が知られている。
しかしながら、天井に向けて新たに天井パネルを複数枚並設する作業は、高所での作業となる上、天井パネルを保持しながら釘打ちあるいは、ねじ止めする必要があるため、技術を要する。
そこで、容易かつ安全に取り付け作業が行える取付構造が求められる。
特許文献１には、天井スラブ側に設けられる野縁に断面略逆Ｔ字状の継手兼支持部片を一体形成し、野縁に直交する方向に、その端部が継手兼支持部片に係合する支持条材を配設したものが記載されている。
これによれば、天井パネルは、この支持条材に形成された支持片と、継手兼支持部片とを天井パネルの周縁端面に形成した支持溝に嵌合させて取り付けることができる。
【先行技術文献】
【特許文献】
【０００３】
【特許文献１】実開平６−４７４２７号公報
【発明の概要】
【発明が解決しようとする課題】
【０００４】
しかしながら、上記特許文献１の開示されている天井パネルは、天井パネルの端部に支持片と嵌合する支持溝を備えたものである必要があるので、例えば複数枚の天井パネルを実結合により連結させて取り付ける場合に適用できないものであった。
【０００５】
本発明は、上記実情に鑑みてなされたものであり、容易にかつ安全に天井パネルと取り付けることができる天井パネルの取付構造を提供する。
【課題を解決するための手段】
【０００６】
上記目的を達成するために、本発明に係る天井パネルの取付構造は、建物における既存の天井の下側に、天井パネルを複数枚取り付ける取付構造であって、前記建物の壁に沿って前記天井の近傍に、前記壁側に配設された天井パネルを保持するベースフレームを設け、前記壁のうち対向する一対の壁間に設けられた一対のベースフレームの間に天井パネル保持部材を固定し、前記天井パネル保持部材に、前記一対の壁間方向に移動自在に複数の保持具を取り付け、前記一対の壁間方向に隣接して並設され実結合により連結される両天井パネル間に前記保持具を介在させ、かつ、隣接する天井パネルのうちの一方端側の実部を上記保持具で係止するようにしたことを特徴とする。
本発明において、前記保持具には、該保持具によって係止された天井パネルに対して、実結合により連結される天井パネルの配設方向とは、直交方向に配設される他の天井パネルを係止する係止片が形成されているようにしてもよい。
また、本発明において、前記天井パネル保持部材には、その長手方向に沿って形成され断面視において略Ｔ字状の引掛溝が設けられており、前記保持具は、前記引掛溝に係止され、かつ該引掛溝に沿って移動自在に設けられているようにしてもよい。
さらに、本発明において  前記保持具には、前記実部を抱え込むようにして係止する包持部と、該包持部で前記実部が係止された前記天井パネルを前記天井パネル保持部材に固定する固定具が挿通される挿通孔とが形成されているようにしてもよい。
そして、本発明において、前記表層材は、前記雄実部側では該雄実部の先端から内側、前記雌実部側では該雌実部の先端から外側にずらした位置に設けられ、前記保持具で前記雄実部を係止し、該雄実部の下方に、該雄実部を有する天井パネルに対して実結合により連結される天井パネルの前記表層材が配設されているようにしてもよい。
【発明の効果】
【０００７】
本発明に係る天井パネルの取付構造によれば、容易にかつ安全で確実に天井パネルと取り付けることができる。
【図面の簡単な説明】
【０００８】
【図１】（ａ）及び（ｂ）は、本発明の一実施形態に係る天井パネルの取付構造の要部を示す概略斜視図であり、（ａ）は（ｂ）のＸ部拡大斜視図である。
【図２】（ａ）は、同取付構造における天井パネル保持部材を説明するための概略斜視図であり、（ｂ）は同天井パネル保持部材に設けられる保持具の概略斜視図である。
【図３】（ａ）は同取付構造の一例を示す概略斜視図であり、（ｂ）は同取付構造における天井パネルの一例を示す模式的側面図である。
【図４】同取付構造において複数枚の天井パネルを取り付けた状態を説明するための概略斜視図である。
【図５】（ａ）は図４におけるＡ−Ａ線概略断面図、（ｂ）は図４におけるＢ−Ｂ線概略断面図である。
【図６】同取付構造においてベースフレームとの固定関係を説明するための模式的平面図である。
【発明を実施するための形態】
【０００９】
以下に本発明の実施の形態について、図面に基づいて説明する。
なお、一部の図では、他図に付している詳細な符号の一部を省略している。また、以下の実施形態では、施工する一枚の天井パネル１を基準として、壁間方向・配設方向（図１（ｂ）、図３（ａ）及び図４のｄ１参照）、直交方向（図４のｄ２参照）を原則的に説明する。さらに各部材の説明においては、取り付けられた状態を基準に原則的に説明する。そして図６では固定部材８の図示は省略している。
【００１０】
図１〜図６は、本実施形態に係る天井パネル１の取付構造の一例について説明するための概念的な説明図である。
本実施形態に係る天井パネル１の取付構造は、建物における既存の天井１０（図５（ａ）参照）の下側に、天井パネル１を複数枚取り付ける取付構造に関する。建物の壁に沿って天井１０の近傍に、壁側に配設された天井パネル１を保持するベースフレーム４を設け、壁のうち対向する一対の壁間に設けられた一対のベースフレーム４の間には、天井パネル保持部材５が固定されている。この天井パネル保持部材５には、一対の壁間方向（ｄ１）に移動自在に複数の保持具６が取り付けられている。そして、一対の壁間方向（ｄ１）に隣接して並設され実結合により連結される両天井パネル１，１間に保持具６を介在させ、かつ、隣接する天井パネル１のうちの一方端側の実部２０を保持具６で係止する構造としている。
以下、詳しく説明する。
【００１１】
まずは、天井パネル１及び天井パネル１を取り付けるための各部材の構成等について説明する。
天井パネル１は、図３（ｂ）に示すように平面視において略矩形状（図３（ａ）では長方形状）の平板体とされ、基材２と表層材３とを備え、隣接する天井パネル１（１Ａ，１Ｂ）とあいじゃくりにより実結合される形状とされている。なお、図３（ｂ）は天井パネル１の幅方向からみた模式的側面図を示している。
基材２には、幅方向の一方端に雄実部２０ａ、他方端に雌実部２０ｂが形成されており、雄実部２０ａ及び雌実部２０ｂの下面には、薄板の係止片６０及び固定具７のねじ頭が納まる程度の空隙部２０ａａ，２０ｂａが段差状に形成されている（図１（ａ）、図３、図４及び図５（ａ）、（ｂ）参照）。
また基材２の下方には表層材３が設けられ、この表層材３は、雄実部２０ａ側では該雄実部２０ａの先端から内側、雌実部２０ｂ側では該雌実部２０ｂの先端から外側にずらした位置に設けられている。
【００１２】
基材２としては、合板やＬＶＬ等の木質積層板、パーティクルボード等の木質ボード、若しくはインシュレーションボードやＭＤＦ（中密度繊維板）等の木質繊維板などの木質系材料から形成されたものとしてもよい。また、断熱機能や、吸音機能、防音機能、さらに調湿機能等を有した各種の機能性材料から製されたものや、各種の機能性材料を内蔵した断熱パネル、吸音パネル、防音パネル、調湿パネルなどの機能性を備えたものとしてもよい。
表層材３としては、合板やＬＶＬ等の木質積層板、パーティクルボード等の木質ボード、若しくはインシュレーションボードやＭＤＦ（中密度繊維板）等の木質繊維板などの木質系材料から形成されたものとしてもよく、その表面に化粧樹脂シート（フィルム）、化粧紙等を積層させたり、塗装等を施すようにしてもよい。
【００１３】
ベースフレーム４は、建物内空間を区画する壁に沿って天井１０の近傍の略全周に設けられ、壁（不図示）側に配設された天井パネル１を保持するために設けられる。ベースフレーム４は、固定部材８（図３（ａ）参照）によって保持されており、固定部材８は、壁或いは天井１０に固定具によって固定され、壁と天井１０との入隅部に適宜間隔を空けて複数設けられている。
ベースフレーム４は、金属材等からなり、直線形状且つ長尺に形成され、図３（ａ）のような一隅部に凹み部位に配設されるものは、その設置箇所に応じてその寸法が設定される。
隣接して配設されるベースフレーム４とベースフレーム４とが突き合わされる角部４ａには、平面視においてＬ字状の接続金具（不図示）を取り付けるようにしてもよい。
建物内空間を区画する壁によって形成される平面視における形状は、図３（ａ）のような一隅部に凹み部位が形成されたものに限られず、上記の一隅部以外にも凹み部位が形成されたものや、さらには、突出部位が形成されたような形状としてもよい。また、このような凹み部位や突出部位が形成された形状に限られず、略矩形状とされたものとしてもよい。
【００１４】
天井パネル保持部材５は、壁のうち対向する一対の壁間に設けられた一対のベースフレーム４（図３（ａ）では、ベースフレーム４Ａ，４Ｂ）の間に設けられ、ベースフレーム４及び天井１０に固定具１１，９（図５（ｂ），図６参照）によって固定されている。
天井パネル保持部材５は、長尺なレール形状からなり、図２（ａ）に示すようにその長手方向に沿って断面視において略Ｔ字状の引掛溝５０が設けられている。図２（ａ）において、５０ａは引掛溝５０の天面部、５０ｂは側面部、５０ｃは係止部を示している。係止部５０ｃは、後記する保持具６のスライド片６３の両端が架け渡され係止されるように側面部５０ｂより引掛溝５０の内方へ突出して形成されている。天井パネル保持部材５は、この引掛溝５０を挟んで長手方向両側にレール部５２と、天井取付部５１とを有している。天井取付部５１には、天井１０に固定するための固定具９（図５（ｂ）参照）が挿通される挿通孔（不図示）が長手方向に適宜間隔を空けて形成されている。
【００１５】
保持具６は、天井パネル保持部材５の引掛溝５０に係止され、一対の壁間方向（ｄ１）に移動自在に複数設けられている。図２（ｂ）に示すように保持具６は、係止片６０と、包持部６１と、隣接パネル嵌合部６２と、スライド片６３とを有している。
保持具６は、このひとつの部材で隣接して配設される計３枚の天井パネル１を係止できる構造となっており、ひとつの保持具６で保持可能な天井パネル１に１Ａ〜１Ｃの符号を付して説明する。ここで天井パネル１Ａは、保持具６の包持部６１に係止される天井パネルであり、天井パネル１Ｂは、隣接パネル嵌合部６２に係止される天井パネル、天井パネル１Ｃは、係止片６０によって係止される天井パネルをさす。
【００１６】
係止片６０は、保持具６によって係止された天井パネル１Ａに対して、実結合により連結される天井パネル１Ｂの配設方向（ｄ１）とは、直交方向（ｄ２）に配設される他の天井パネル１Ｃを係止するよう薄板体に形成されている。
係止片６０の先端は、係止する天井パネル１Ｃが係止されやすいように誘導するため、若干下方に傾斜した誘い片６０ａとなっている。
またこの係止片６０には、包持部６１で雄実部２０ａが係止された天井パネル１Ａを天井パネル保持部材５に固定する固定具７（図５（ａ）、（ｂ）参照）が挿通される挿通孔６ａが形成されている。これにより、天井パネル１Ａを保持具６を介在させた状態で天井パネル保持部材５及び天井１０にしっかりと固定することができる。
【００１７】
包持部６１は、係止する天井パネル１Ａの雄実部２０ａを抱え込むようにして係止するため、屈曲して形成された形状とされている。この包持部６１は、水平部６１ａと、起立部６１ｂと、上方水平部６２ａとで構成される。
水平部６１ａは、係止片６０から略水平に延出して形成された形状とされ、起立部６１ｂは、水平部６１ａの延出方向の一端を略垂直に起立させて形成された形状とされている。上方水平部６２ａは、その起立部６１ｂの一端を再び略水平方向に屈曲させて形成された形状とされている。
これにより、水平部６１ａと上方水平部６１ｃとの間に天井パネル１Ａの雄実部２０ａが差し込まれて嵌合することで、天井パネル１Ａを包持部６１で係止することができる。
【００１８】
隣接パネル嵌合部６２は、天井パネル１Ａと実結合される天井パネル１Ｂの雌実部２０ｂが差し込まれて嵌合されるよう、屈曲して形成された形状とされている。隣接パネル嵌合部６２は、上方水平部６２ａと、上方起立部６２ｂ、そしてスライド片６３とで構成される。
上方水平部６２ａは、上述のように起立部６１ｂの一端を略水平方向に屈曲させて形成された形状とされており、上方起立部６２ｂは、上方水平部６２ａの一端を略垂直に起立させた形成された形状とされている。そしてスライド片６３は、上方起立部６２ｂから再び略水平方向に屈曲させて形成された形状とされている。
これにより、上方水平部６２ａとスライド片６３との間に天井パネル１Ｂの雌実部２０ｂが差し込まれて嵌合することで、天井パネル１Ｂを隣接パネル嵌合部６２で係止することができる。
【００１９】
スライド片６３は、上述したように略水平方向に屈曲させた形成された形状とされており、図２（ｂ）に示すように引掛溝５０の係止部５０ｃに係止されるように上方起立部６２ｂの横寸法よりも大きく形成されている。
これにより、スライド片６３が引掛溝５０の係止部５０ｃに引っ掛かるようにして係止できるので、保持具６を引掛溝５０に沿って移動自在とすることができる。
よって、天井パネル保持部材５に複数設けられた保持具６を天井パネル１の取り付けを行いながら、所望の位置に移動させることができ、作業性がよい。
【００２０】
次に、天井パネル１（１Ａ〜１Ｃ）の施工要領の一例について説明する。
まず、天井パネル１Ａ、天井パネル１Ｂの施工要領の一例について説明する。
図１（ａ）、図３（ａ）に示すように天井パネル１Ａの２端をベースフレーム４に差し込む。すなわち、天井パネル１Ａの長手方向の一端と短手方向の一端とをベースフレーム４に引掛けた状態に係止させる。このとき、天井パネル１Ａの雌実部２０ｂ側がベースフレーム４に配置されるように差し込む。
天井パネル保持部材５に取り付けられた複数の保持具６のうち、天井パネル１Ａに一番近い位置に取り付けられた保持具６をスライドさせ、図１（ａ）に示すように雄実部２０ａに包持部６１を嵌合させる。そしてこの状態で、挿通孔６ａに固定具７を挿通させてネジ止めを行う。このように保持具６で天井パネル１Ａを保持させれば、天井パネル１Ａの４隅がベースフレーム４と保持具６とで保持されることになる。よって、この状態で手で放しても天井パネル１Ａが簡単に落下してしまうことがなく、従来のように天井パネルを手で押さえて保持しながら、ネジ止めをする必要がなくなり、施工が格段にやりやすくなる。
またこのように保持具６によって天井パネル１Ａを保持した上にネジ固定しているので、２重の安全策がとられていることになり、天井パネル１Ａの落下に対する安全性が向上する。
【００２１】
次に天井パネル１Ａの雄実部２０ａと天井パネル１Ｂの雌実部２０ｂとが嵌合するように、天井パネル１Ｂを略水平状態に保ちながら、天井パネル１Ａに隣接させて差し込んでいく。このとき天井パネル１Ｂの雌実部２０ｂを、保持具６の隣接パネル嵌合部６２と嵌合するように差し込むと同時に天井パネル１Ａの雄実部２０ａと実結合するように取り付ける。ここで、雄実部２０ａの下面には、上述したように係止片６０及び固定具７のねじ頭が納まるように空隙部２０ａａが形成されている。これにより、保持具６を介在させて固定具７をねじ込んだ際に、隣接して設置される天井パネル１Ｂの実結合時に、係止片６０や固定具７のねじ頭が邪魔にならない。この状態を示したのが図５（ａ）である。
以上とすれば、天井パネル１Ｂの短手方向の一端はベースフレーム４で保持され、長手方向の一端は隣接する天井パネル１Ａと実結合により連結されている上に保持具６でも係止された状態にとすることができる。よって、この状態で手を放しても天井パネル１Ｂが簡単に落下してしまうことがないため、上述と同様に施工が格段にやりやすくなる。
【００２２】
また図５（ａ）に示すように、正しい位置に天井パネル１Ｂが差し込まれ保持されれば、保持具６で係止された雄実部２０ａの下方に、雄実部２０ａを有する天井パネル１Ａに対して実結合により連結される天井パネル１Ｂの表層材３が配設される。
よって、保持具６への差し込み、固定具７の締め付けが不十分な場合は、これらが邪魔して隣接する天井パネル１Ｂの取り付けができないため、施工の不備をすぐに認識することができ、この点からも施工の安全性、確実性が向上するといえる。また固定具７が緩むなどした場合でも、隣接して設置される天井パネル１Ｂの表層材３が固定具７の下部に配設されているので、完全に固定具７が外れてしまうことを防ぐことができる。
さらに天井パネル１Ｂの取り付けによって、保持具６や固定具７が表層材３によって隠されて見えないため、意匠性がよい。これにより、クロス貼りなしでも対応可能とすることができる。またクロス貼りを行う場合でも、パテ塗りなどの補修作業が不要になる。
【００２３】
以後は、先述の天井パネル１Ａの取り付けと同じ要領で、天井パネル１Ｂに一番近い位置に取り付けられた保持具６をスライドさせ、天井パネル１Ｂの雄実部２０ａに包持部６１を嵌合させる。そしてこの状態で、挿通孔６ａに固定具７を挿通させてネジ止めを行う作業を繰り返していけばよい。
【００２４】
次に天井パネル１Ｃの施工要領の一例を説明する。
天井パネル１Ａと実結合により連結される天井パネル１Ｂの配設方向（ｄ１）に設置する天井パネル１の施工が終わったら、直交方向（ｄ２）に配設される天井パネル１Ｃを取り付ける。なお、天井パネル１Ａの取り付け後に天井パネル１Ｃを取り付けようにしても施工上、問題はない。
以上によれば、天井パネル１Ｃの２端をベースフレーム４で保持され、天井パネル１Ａと突き合わせされる端面側の雄実部２０ａが保持具６の係止片６０によって保持される。よって、この状態で手で放しても天井パネル１Ｃが簡単に落下してしまうことがなく、上述と同様の効果がいえる。この状態を示したのが図５（ｂ）である。その他も同様の要領で施工を行う。
この場合も正しい位置に天井パネル１Ｃが差し込まれ係止片６０で保持されていれば、係止片６０の下方に、天井パネル１Ｃと実結合により連結される天井パネル（不図示）が隣接して配設される。よって、天井パネルの取り付けによって、係止片６０が隠されて見えないため、意匠性がよく、係止片６０への差し込みが不十分な場合は、隣接する天井パネルの取り付けができないため、施工の不備をすぐに認識することができる点は、上述と同様である。
【００２５】
なお、上記した実施形態に係る天井パネル１（１Ａ〜１Ｃ）、基材２、表層材３、ベースフレーム４、天井パネル保持部材５、保持具６、各種固定具７，９等の構成、形状、設置個数等は図例に限定されるものではない。
【符号の説明】
【００２６】
１            天井パネル
２            基材
２０          実部
２０ａ        雄実部
２０ｂ        雌実部
３            表層材
４            ベースフレーム
５            天井パネル保持部材
５０          引掛溝
６            保持具
６０          係止片
６ａ          挿通孔
６１          包持部
７            固定具
ｄ１          壁間方向、配設方向
ｄ２          直交方向
【図１】
2014020035.tif 000003
【図２】
2014020035.tif 000004
【図３】
2014020035.tif 000005
【図４】
2014020035.tif 000006
【図５】
2014020035.tif 000007
【図６】
2014020035.tif 000008